(57)【要約】【課題】収納箱内の収納物との間でタグ通信を行うことが可能であり、外部衝撃が加わってもＩＣタグの破損を防止してＩＤ情報の読み取りの信頼性を向上させることが可能な収納箱、収納セットおよび収納物管理方法を提供すること。【解決手段】導体を材質とする閉塞部材３０Ａ，３０Ｂの収納空間２２に収納物１００，２００が配置される収納箱１１Ａ，１１Ｂであって、閉塞部材３０Ａ，３０Ｂを貫通していて、両端が閉じた長尺状に設けられると共に、外部端末３００から放射される通信用電磁波が透過可能な貫通スロット部３３と、貫通スロット部３３内に配置され、閉塞部材３０Ａ，３０Ｂの厚みよりも厚みが小さく、通信用電磁波を介して外部端末３００と通信する箱用ＩＣタグ６０と、貫通スロット部３３に充填されると共に箱用ＩＣタグ６０を保持すると共に、閉塞部材３０Ａ，３０Ｂの厚みと同程度以下の厚みを有する充填材５０と、を備える。【選択図】図１
2020086991.tif 000002
【特許請求の範囲】
【請求項１】
電気を導通させる導体を材質とする閉塞部材を備え、その閉塞部材の閉じ状態で外部から閉塞される収納空間を備え、その収納空間に収納物が配置される収納箱であって、
前記閉塞部材を貫通していると共に、両端が閉じた長尺状に設けられると共に、外部端末から放射される通信用電磁波が透過可能な貫通スロット部と、
前記貫通スロット部内に配置され、前記閉塞部材の厚みよりも厚みが小さく、かつ固有の箱用ＩＤ情報を有すると共に前記通信用電磁波を介して前記外部端末と通信する箱用ＩＣタグと、
前記貫通スロット部に充填されると共に前記箱用ＩＣタグを保持すると共に、前記閉塞部材の厚みと同程度以下の厚みを有する充填材と、
を備えることを特徴とする収納箱。
【請求項２】
請求項１記載の収納箱であって、
長尺状の前記貫通スロット部は、前記通信用電磁波の半波長に共振する長さに設けられている、
ことを特徴とする収納箱。
【請求項３】
請求項１または２記載の収納箱であって、
前記貫通スロット部のうち、前記閉塞部材の厚み方向の中途の部位には、該閉塞部材の厚み方向の両端側よりも該貫通スロット部の中央側に突出する係止凸部が設けられていて、
前記充填材には、前記係止凸部が入り込む係止凹部が設けられている、
ことを特徴とする収納箱。
【請求項４】
請求項１から３のいずれか１項に記載の収納箱であって、
前記貫通スロット部の幅は、前記箱用ＩＣタグと通信する前記通信用電磁波の波長の１／４よりも小さく、かつ０．５ｍｍ以上の寸法に設けられている、
ことを特徴とする収納箱。
【請求項５】
請求項４記載の収納箱であって、
前記貫通スロット部は、前記箱用ＩＣタグが配置されると共に前記貫通スロット部の端部に設けられているタグ配置部と、前記タグ配置部よりも幅狭に設けられているスリット部と、を有する、
ことを特徴とする収納箱。
【請求項６】
請求項１から５のいずれか１項に記載の収納箱と、
前記収納空間に配置されている前記収納物と、
前記収納物に取り付けられていると共に、固有の収納物用ＩＤ情報を有すると共に前記貫通スロット部を通過した前記通信用電磁波を介して前記外部端末と通信する収納物用ＩＣタグと、
を備えることを特徴とする収納セット。
【請求項７】
請求項６記載の収納セットであって、
前記収納物は作業工具であり、
前記収納箱は前記作業工具を収納する工具箱である、
ことを特徴とする収納セット。
【請求項８】
請求項６記載の収納セットであって、
前記収納物は消防の際に用いられる消防用具であり、
前記収納箱は前記消防用具を収納する消火栓ボックスである、
ことを特徴とする収納セット。
【請求項９】
電気を導通させる導体を材質とする閉塞部材を備え、その閉塞部材の閉じ状態で外部から閉塞される収納空間を備え、その収納空間に収納物が配置される複数の収納箱内に収納されている前記収納物を管理する収納物管理方法であって、
前記収納箱は、
前記閉塞部材を貫通していると共に、両端が閉じた長尺状に設けられると共に、外部端末から放射される通信用電磁波が透過可能な貫通スロット部と、
前記貫通スロット部内に配置され、前記閉塞部材の厚みよりも厚みが小さく、かつ固有の箱用ＩＤ情報を有すると共に前記通信用電磁波を介して前記外部端末と通信する箱用ＩＣタグと、
前記貫通スロット部に充填されると共に前記箱用ＩＣタグを保持すると共に、前記閉塞部材の厚みと同程度以下の厚みを有する充填材と、
を備えていて、
単数または複数の前記収納箱に向けて前記外部端末を作動させて前記通信用電磁波を放射する第１通信工程と、
前記第１通信工程でターゲットとなる前記収納箱に関する前記箱用ＩＤ情報を前記外部端末で読み取った後に、前記第１通信工程よりもターゲットとなる前記収納箱に近接した状態で、前記外部端末の出力を調整して前記収納箱内の前記収納物の収納物用ＩＣタグと通信する第２通信工程と、
を備えることを特徴とする収納物管理方法。
【発明の詳細な説明】
【技術分野】
【０００１】
本発明は、収納箱、収納セットおよび収納物管理方法に関する。
【背景技術】
【０００２】
マンホール等のような金属蓋に、ＩＣタグを取り付けたものとしては、たとえば特許文献１に開示の構成がある。特許文献１には、金属蓋に貫通スロットを設け、その貫通スロットに、ＩＣタグ本体およびアンテナ構成部材を含むＩＣタグ部を埋め込んでいる。かかるＩＣタグ部は、地上側のＩＣタグリーダや、地下側のＩＣタグリーダとの間で、ＩＣタグ通信を可能としている。
【先行技術文献】
【特許文献】
【０００３】
【特許文献１】特開２０１８−０６７１６５号公報
【発明の概要】
【発明が解決しようとする課題】
【０００４】
ところで、工具箱や消火栓ボックスといった、収納箱に収納されている収納物は、直接見る必要が無い場合であってもチェック作業のために収納箱の蓋部材を作業者が開けて、その収納物の確認作業を行っている。具体的には、作業者は、収納物を目視して、定められた（真正の）収納物が収納されているかといった事項や、収納されている収納物の耐用年数等を確認している。しかしながら、そのようなチェック作業は、作業者の労力が非常に大きい。また、作業者の目視による確認は、ヒューマンエラーを招く虞がある。
【０００５】
また、ＩＣタグと外部端末とのタグ通信で用いられる通信用電磁波の波長がＵＨＦ帯の９２０ＭＨｚである場合、経験上、金属ケースと金属製の扉の間の隙間が比較的大きい場合に、タグ通信の通信用電磁波が侵入し易くなる。そのため、扉を閉めたまま、収納物をチェックすることができる。しかしながら、金属ケースと扉の間の隙間が、タグ通信の通信用電磁波を往来可能とする条件を満たしていることは保証されていない。そのため、扉を閉じたまま、収納物をチェックすることは、偶然性に依存する、という問題もある。
【０００６】
また、工具箱や消火栓ボックスの蓋部材は、通常は薄い金属板を材質としていて、電磁波を透過させ難いので、収納物にＩＣタグを取り付けても、そのＩＣタグと外部端末との間で、タグ通信を行うことは困難である。
【０００７】
その対策として、蓋部材の表面に、収納物のリストを検索するＩＣタグを取り付けることも考えられるが、その場合、規定の収納物が、収納箱の内部に収納されているか否かは不明であるので、蓋部材を開けて収納物を確認する作業が必要となる。
【０００８】
また、特許文献１には、厚みの大きなマンホール蓋の貫通孔に、ＩＣタグおよびアンテナ構成部材を有するＩＣタグ部を埋め込んでいる。しかしながら、薄い金属板を材質とする蓋部材に、特許文献１に開示の構成を適用すると、薄い金属板を貫通する貫通スロット部からアンテナ構成部材やＩＣタグ部が突出してしまう。その場合、ＩＣタグ部に、外部衝撃が加わることで、ＩＣタグ部が破損したり脱落してしまう虞がある。
【０００９】
本発明は上記の事情にもとづきなされたもので、その目的とするところは、収納箱の外部から蓋部材に組み込まれたＩＣタグとの間、および収納箱内の収納物に取り付けたＩＣタグとの間でタグ通信を行うことが可能であると共に、外部衝撃が加わってもＩＣタグの破損を防止して、ＩＣタグが有するＩＤ情報の読み取りの信頼性を向上させることが可能な収納箱、収納セットおよび収納物管理方法を提供しよう、とするものである。
【課題を解決するための手段】
【００１０】
上記課題を解決するために、本発明の第１の観点によると、電気を導通させる導体を材質とする閉塞部材を備え、その閉塞部材の閉じ状態で外部から閉塞される収納空間を備え、その収納空間に収納物が配置される収納箱であって、閉塞部材を貫通していると共に、両端が閉じた長尺状に設けられると共に、外部端末から放射される通信用電磁波が透過可能な貫通スロット部と、貫通スロット部内に配置され、閉塞部材の厚みよりも厚みが小さく、かつ固有の箱用ＩＤを有すると共に通信用電磁波を介して外部端末と通信する箱用ＩＣタグと、貫通スロット部に充填されると共に箱用ＩＣタグを保持すると共に、閉塞部材の厚みと同程度以下の厚みを有する充填材と、を備えることを特徴とする収納箱が提供される。
【００１１】
また、本発明の他の側面は、上述の発明において、長尺状の貫通スロット部は、通信用電磁波に共振する長さに設けられている、ことが好ましい。
【００１２】
また、本発明の他の側面は、上述の発明において、貫通スロット部のうち、閉塞部材の厚み方向の中途の部位には、該閉塞部材の厚み方向の両端側よりも該貫通スロット部の中央側に突出する係止凸部が設けられていて、充填材には、係止凸部が入り込む係止凹部が設けられている、ことが好ましい。
【００１３】
また、本発明の他の側面は、上述の発明において、貫通スロット部の幅は、箱用ＩＣタグと通信する通信用電磁波の波長の１／４よりも小さく、かつ０．５ｍｍ以上の寸法に設けられている、ことが好ましい。
【００１４】
また、本発明の他の側面は、上述の発明において、貫通スロット部は、箱用ＩＣタグが配置されると共に貫通スロット部の端部に設けられているタグ配置部と、タグ配置部よりも幅狭に設けられているスリット部と、を有する、ことが好ましい。
【００１５】
また、本発明の他の側面は、上述の発明において、収納空間に配置されている収納物と、収納物に取り付けられていると共に、固有の収納物用ＩＤ情報を有すると共に貫通スロット部を通過した通信用電磁波を介して外部端末と通信する収納物用ＩＣタグと、を備える、ことが好ましい。
【００１６】
また、本発明の他の側面は、上述の発明において、収納物は作業工具であり、収納箱は作業工具を収納する工具箱である、ことが好ましい。
【００１７】
また、本発明の他の側面は、上述の発明において、収納物は消防の際に用いられる消防用具であり、収納箱は消防用具を収納する消火栓ボックスである、ことが好ましい。
【００１８】
また、本発明の第２の観点によると、電気を導通させる導体を材質とする閉塞部材を備え、その閉塞部材の閉じ状態で外部から閉塞される収納空間を備え、その収納空間に収納物が配置される複数の収納箱内に収納されている収納物を管理する収納物管理方法であって、収納箱は、閉塞部材を貫通していると共に、両端が閉じた長尺状に設けられると共に、外部端末から放射される通信用電磁波が透過可能な貫通スロット部と、貫通スロット部内に配置され、閉塞部材の厚みよりも厚みが小さく、かつ固有の箱用ＩＤ情報を有すると共に通信用電磁波を介して外部端末と通信する箱用ＩＣタグと、貫通スロット部に充填されると共に箱用ＩＣタグを保持すると共に、閉塞部材の厚みと同程度以下の厚みを有する充填材と、を備えていて、単数または複数の収納箱に向けて外部端末を作動させて通信用電磁波を放射する第１通信工程と、第１通信工程でターゲットとなる収納箱に関する箱用ＩＤ情報を外部端末で読み取った後に、第１通信工程よりもターゲットとなる収納箱に近接した状態で、外部端末の出力を調整して収納箱内の収納物の収納物用ＩＣタグと通信する第２通信工程と、を備えることを特徴とする収納物管理方法が提供される。
【発明の効果】
【００１９】
本発明によると、収納箱内の収納物との間でタグ通信を行うことが可能であると共に、外部衝撃が加わってもＩＣタグの破損を防止して、ＩＣタグが有するＩＤ情報の読み取りの信頼性を向上させることが可能な収納箱、収納セットおよび収納物管理方法を提供することができる。
【図面の簡単な説明】
【００２０】
【図１】図１は、本発明の第１の実施の形態に係る収納セットとしての消火栓ボックスセット、および収納箱としての消火栓ボックスを示す平面図である。
【図２】図１に示す消火栓ボックスセットおよび消火栓ボックスの内部を示す斜視図である。
【図３】図１に示す消火栓ボックスの蓋部材の表面のうち、貫通スロット部付近を示す平面図である。
【図４】図３に示す貫通スロット部のスロット端部を幅方向に切断した状態を示す断面図である。
【図５】図３に示すスロット端部の他の例を示す断面図である。
【図６】図３に示すスロット端部の他の例を示す断面図である。
【図７】図３に示す貫通スロット部の他の例を示す平面図である。
【図８】図３に示す貫通スロット部の他の例を示す平面図である。
【図９】図３から図６に示すスロット端部に配置されるＩＣタグの構成を示す斜視図である。
【図１０】図３に示す貫通スロット部の長手方向に沿うように、磁界φが形成されている状態を示す図である。
【図１１】本発明の第２の実施の形態に係る収納セットとしての工具セット、および収納箱としての工具箱を示す斜視図である。
【図１２】図１１に示す工具セットおよび工具箱の内部を示す平面図である。
【発明を実施するための形態】
【００２１】
以下、本発明の各実施の形態に係る、収納セットおよび収納箱について、図面に基づいて説明する。
【００２２】
（第１の実施の形態）
図１は、本発明の第１の実施の形態に係る収納セットとしての消火栓ボックスセット１０Ａおよび収納箱としての消火栓ボックス１１Ａについて、以下に説明する。なお、以下の説明においては、第１の実施の形態の消火栓ボックスセット１０Ａおよび消火栓ボックス１１Ａに特有の構成については、アルファベット「Ａ」を付して説明するが、後述する第２の実施の形態の工具セット１０Ｂおよび工具箱１１Ｂに係る構成と共通の構成については、アルファベット「Ａ」は付さない状態で説明する。
【００２３】
図１に示すように、消火栓ボックス１１Ａは、金属製の筐体２０Ａと、金属製の蓋部材３０Ａとを備えている。筐体２０Ａは、開口部２１（図２参照）を有する箱状部材である。この筐体２０Ａは、箱状の形態が外部に露呈していても良いが、建築物の内部の壁面から突出する寸法が少なくなるように、壁面から奥側に埋め込まれた状態で設けられていても良い。この筐体２０Ａには、図示を省略する蝶番や回動軸といった回動支持部を介して、蓋部材３０Ａが回動自在に取り付けられている。
【００２４】
また、蓋部材３０Ａは、閉塞部材に対応する。この蓋部材３０Ａは、閉じ状態では筐体２０Ａの開口部２１を塞ぐが、開き状態では開口部２１が閉塞されていないので、作業者が筐体２０Ａの内部空間２２（収納空間に対応）に収納されている消防用具１００を容易に取り出すことができる。
【００２５】
ここで、蓋部材３０Ａは、厚みの薄い金属板を材質として形成されているが、その金属板の厚みは、消火器が収納されるような小さい蓋部材３０Ａや、消防ホースが収納される大きい蓋部材３０Ａ等を考慮すると、０．５ｍｍ〜５ｍｍ程度となる。なお、上記の蓋部材３０Ａの材質としては、たとえば圧延鋼板のような鉄板やステンレス鋼板、アルミニウム系材料を用いることができる。ただし、蓋部材３０Ａの重量がさほど大きくならなければ、蓋部材３０Ａの厚みは上記の範囲以上であっても良く、また強度が十分であれば、蓋部材３０Ａの厚みは上記の範囲以下であっても良い。
【００２６】
図３は、蓋部材３０Ａの表面３１のうち、貫通スロット部３３付近を示す平面図である。図１および図３に示すように、蓋部材３０Ａの表面３１には、貫通スロット部３３が設けられている。この貫通スロット部３３は、蓋部材３０Ａを貫通していると共に両端が閉じた長尺状の孔部分であり、スロットアンテナとして機能する部分である。図３に示すように、貫通スロット部３３は、スリット部３４と、スロット端部３５とを有している。
【００２７】
スリット部３４は、スロット端部３５と同じ幅かそれよりも幅の狭い長尺状の部分である。なお、図３では、スリット部３４の幅が狭い場合を示している。また、スロット端部３５は、スリット部３４の両端部側に配置されている。このスロット端部３５は、タグ配置部に対応する。また、スロット端部３５は、高周波電流ｉ１の電流が最大になる給電部となる部分である。かかる電流給電部としてのスロット端部３５のうちの１つには、後述するＩＣタグ６０が組み込み配置される。かかる配置を可能とするために、スロット端部３５は、スリット部３４よりも幅が大きく設けられている。
【００２８】
ここで、スリット部３４は、外部のリーダ装置３００（図１０参照）から放射される通信用電磁波を透過可能な長さや幅に設定されているが、特にスリット部３４の幅はゴミの侵入や悪戯防止などから狭いことが望ましく、通信用電磁波透過の観点からは広い方が好ましい。具体的な寸法としては、スリット部３４の幅は、０．５ｍｍ以上となっている。ただし、スリット部３４は、スロット端部３５と共に、スロットアンテナを構成する。したがって、スリット部３４の幅は、スロット端部３５の存在も考慮して、通信用電磁波の波長の１／４よりも小さく設定されている。ちなみに、貫通スロット部３３の長さは、スロットアンテナの長さ、すなわち半波長であってＵＨＦ帯の周波数９２０ＭＨｚでは約１６ｃｍである。
【００２９】
また、スロット端部３５の平面形状は、円形状であることが好ましいが、ＩＣタグが配置可能であれば、その形状は、どのようなものであっても良い。たとえば、スロット端部３５の平面形状が円形状であり、かつＩＣタグがＩＭ５−ＰＫ２５２５（日立化成株式会社製）の場合、ＩＣタグの一辺が２．５ｍｍの矩形状であるので、円形状のスロット端部３５は、直径が３．５ｍｍ以上５ｍｍ以下であることが好ましいが、後述するようにＩＣタグの保持性に影響がなければ、円形状のスロット端部３５の直径は５ｍｍ以上であっても良い。
【００３０】
なお、電流給電部としてのスロット端部３５のうち、ＩＣタグ６０が配置されているスロット端部３５においては、その内壁がＩＣタグ６０の四辺のうち少なくとも三辺と近接対向する。そのため、スロット端部３５の内壁を流れる高周波電流ｉ１とＩＣタグ６０とは、良好な相互誘導を行うことが可能となっている。
【００３１】
ここで、スロット端部３５を幅方向に切断した断面形状を、図４に示す。図４に示すように、スロット端部３５の厚み方向の中途の部位には、係止凸部３５ａが設けられている。係止凸部３５ａは、スロット端部３５の厚み方向における表面側の端部および裏面側の端部よりも、内径側（中央側）に突出している部分である。すなわち、スロット端部３５の表面側または裏面側から機械的な加工を行うことで、係止凸部３５ａがスロット端部３５の厚み方向の中途の部位に形成される。
【００３２】
なお、スロット端部３５の断面形状は、図４に示すものには限られない。このスロット端部３５の断面形状の他の例を、図５および図６に示す。
【００３３】
図５は、スロット端部３５の他の例を示す断面図である。図５に示すスロット端部３５には、蓋部材３０Ａの表面３１に対して傾斜している傾斜面３６ａと、蓋部材３０Ａの裏面３２に対して傾斜している傾斜面３６ｂとが存在することで、スロット端部３５の厚み方向の中途の部位に、尖形状の係止凸部３５ａが設けられている。
【００３４】
また、図６は、スロット端部３５の他の例を示す断面図である。図６に示すスロット端部３５には、蓋部材３０Ａの表面３１から裏面３２に向かい、該表面３１に対して直交する内壁面３６ｃと、同じく蓋部材３０Ａの裏面３２から表面３１に向かい、該裏面３２に対して直交する内壁面３６ｄとが設けられている。そして、内壁面３６ｃの終端部と内壁面３６ｄの終端部とで挟まれた部位には、スロット端部３５の内径側に突出する係止凸部３５ａが設けられている。なお、スロット端部３５の断面形状は、図４から図６以外の構成を採用することも、勿論可能である。
【００３５】
なお、スリット部３４とスロット端部３５とを含む貫通スロット部３３のスロット長は、通信用電磁波に共振する半波長程度であることが好ましい。その場合には、外部端末（リーダ装置３００；図１０参照）から放射された通信用電磁波に基づく高周波電流ｉ１が貫通スロット部３３の縁部に沿って流れた場合に、半波長共振によって高周波電流ｉ１に基づく磁界φを大きくすることができる。ただし、スリット部３４の幅および樹脂封止体４０の媒質定数やスロット端部３５の直径が、半波長共振に影響を与える数値や大きさである場合には、それらの大きさを考慮して、スリット部３４の長さを定めることができる。たとえば、貫通スロット部３３の縁部に沿って流れる高周波電流ｉ１のスロット中央部分３７から左右に流れ出る電流をたとえば往路とし、復路は左右から流れ込む電流の向きを指すとすると、往路と復路とがそれぞれ半波長となるように、スリット部３４の長さを定めることができる。
【００３６】
なお、貫通スロット部３３の寸法の一例としては、次のものがある。すなわち、スリット部３４の幅が１．５ｍｍであり、樹脂封止体４０の媒質定数がウレタンなど１に近いものを選んだ場合、スロット端部３５の直径が４ｍｍで、スリット部３４とスロット端部３５を含む全長は１５．８ｍｍが最良となったものがある。この一例による貫通スロット部３３のアンテナ性能は、通信用電磁波の出力を２５０ｍＷ、通信用電磁波の周波数を９２０ＭＨｚ、ＩＣタグ６０をＩＭ５−ＰＫ２５２５（日立化成株式会社製）としたとき、通信飛距離が１．５ｍ〜２ｍに及ぶ。この通信飛距離は、一般的なＵＨＦ帯の高飛距離シール型ＩＣタグと同等レベルである。
【００３７】
また、貫通スロット部３３の形状は、図３に示すものには限られない。貫通スロット部３３の他の例を、図７および図８に示す。図７は、貫通スロット部３３の端部側が湾曲した形状となっている構成を示す図である。この図７に示す構成では、スリット部３４の両端部側には、略Ｕ字形状を描くように湾曲した湾曲部３４ｂが設けられていて、その湾曲部３４ｂがスロット端部３５と接続している。このため、スリット部３４のストレート部分３４ａと、スロット端部３５の間には、突出部３６が設けられている。かかる突出部３６の存在により、たとえばストレート部分３４ａの樹脂封止体４０の樹脂が柔らかく、この樹脂封止体４０に鋭利な工具が突き刺さり、その状態でスロット端部３５側に移動しても、突出部３６の存在によって、ＩＣタグ６０が破壊されるのを防ぐことができる。
【００３８】
また、図８に示す構成では、図７に示す構成よりも簡略化された形状のスリット部３４を有している。この図８に示す構成では、スリット部３４は、ストレート部分３４ａ以外に、ストレート部分３４ａの延伸方向に対して折れ曲がっている折れ曲がり部３４ｃが設けられていて、その折れ曲がり部３４ｃがスロット端部３５と接続している。このように構成した場合にも、ストレート部分３４ａに鋭利な工具が突き刺さり、その状態でスロット端部３５側に移動しても、折れ曲がり部３４ｃの存在によって、鋭利な工具の移動速度を減じさせることができ、ＩＣタグ６０が破壊されるのを防ぐことができる。なお、折れ曲がり部３４ｃは、ストレート部分３４ａに対して略直交せずに、ストレート部分３４ａに対して所定の角度で傾斜していても良い。
【００３９】
上述した貫通スロット部３３には、樹脂封止体４０が配置されている。樹脂封止体４０は、樹脂充填部５０と、ＩＣタグ６０とを有している。樹脂充填部５０は、充填材に対応する。この樹脂充填部５０は、電気的な絶縁性を有する樹脂を材質としている。かかる樹脂としては、たとえば、抵抗ロスなどによりアンテナ感度を下げることのない物質が望ましく、例えば、空気を多く含むウレタン材やフッ素樹脂などの他に、塩素系樹脂や高分子樹脂などを用いることができる。これらの樹脂は、後述する数式（１）におけるｎが２〜５、ｍがほぼ１であり、例えば、ｍ×ｎが４である物質とし、通信用電磁波の波長が、ＲＦＩＤ通信にて用いられるＵＨＦ帯の周波数として用いられる９２０ＭＨｚの場合、貫通スロット部３３の長さは約８ｃｍとなるが、現実的には樹脂封止体４０の形状が細長くこれに接する表面３１と裏面３２の空気（ｎとｍがともにほぼ１）の媒質定数が支配的となり結果的に空気中の共振長１６ｃｍとなる。
【００４０】
樹脂封止体４０が太い場合や樹脂充填部５０を構成する樹脂が、媒質定数が真空や空気と比較して高い値の絶縁物などを用いることができる。上記の媒質定数は、比誘電率と比透磁率との積で表される。真空中の比誘電率εは１．０であり、比透磁率μは１．０であるため、真空中の媒質定数は１．０となる。また、空気中の媒質定数も、ほぼ１．０である。樹脂充填部５０の樹脂の媒質定数は、その材質の比誘電率と比透磁率とが、真空に対してそれぞれ何倍であるかにより求められる。すなわち、樹脂充填部５０の樹脂の比誘電率が真空のｎ倍であり、比透磁率が真空のｍ倍である場合、樹脂充填部５０の樹脂の媒質定数は、ｍｎεμで表される。したがって、貫通スロット部３３の内部が上記の樹脂で充填されている場合の半波長共振の波長の長さは、次の数式（１）で示される倍率を乗ずる。つまり真空中の波長に比べ短縮する。
【００４１】
【数１】
2020086991.tif 000003
【００４２】
ただし、樹脂充填部５０を構成する樹脂としては、上記のように媒質定数が真空や空気と比較して高い値の絶縁物とは異なる観点の樹脂を用いても良い。たとえば、外部衝撃に対して、樹脂充填部５０が破損しないような樹脂を材質としても良い。そのような材質としては、たとえばシリコーンゴム系、ポリイミド系、エポキシ系、ＰＥＥＫ（ポリエーテルエーテルケトン）、ＰＴＦＥ（ポリテトラフルオロエチレン）、ＰＤＡＰ（ジアリルフタレート）といった耐熱性を有する樹脂が挙げられる。しかしながら、それ以外のゴム系の材質や、樹脂製のフィルム系の材質、あるいはセラミックス等、種々の材質を用いることが可能である。いずれの樹脂であっても、樹脂充填部５０が細長いこと、厚みが薄いことによって、実質的媒質定数が変化し式（１）で求まる倍率が補正される。実際は最良の共振感度になるように貫通スロット部３３の長さを実験で求めるのが近道の場合がある。
【００４３】
図４から図６に示すように、樹脂充填部５０には、係止凹部５１が設けられている。係止凹部５１は、係止凸部３５ａが入り込む部分である。すなわち、貫通スロット部３３に樹脂を充填して樹脂充填部５０を形成する際に、充填された樹脂は、係止凸部３５ａの形状に倣うことで、係止凹部５１が形成され、その係止凹部５１に係止凸部３５ａが入り込んだ状態となる。かかる係止凹部５１に係止凸部３５ａが入り込むことにより、樹脂封止体４０が貫通スロット部３３から脱落し難くなる。
【００４４】
なお、外部から貫通スロット部３３が容易に視認されるのを防ぐために、貫通スロット部３３に配置される樹脂封止体４０には、蓋部材３０Ａの表面３１と同一の塗装を施して、外部から視認し難くしても良い。このように構成する場合には、ＩＣタグ６０がどの部位に存在するのかが把握し難くなるため、外部からＩＣタグ６０が攻撃され難くなる。また、導電性を妨げないような所定のシールによって、貫通スロット部３３が覆われるように構成しても良い。なお、所定のシールの一例として、「点検済票」や安全協会などが発行する「設備安全シール」などが挙げられるが、これ以外のものであっても良い。
【００４５】
図９は、ＩＣタグ６０の構成を示す斜視図である。ＩＣタグ６０は、ＩＣタグ基板６１と、ＩＣチップ６２と、コイルアンテナ６３とを備えている。ＩＣタグ基板６１は、略矩形状をなす平板形状に形成されている。ＩＣタグ基板６１としては、たとえばガラスエポキシ基板あるいはＰＥＴを始めとした樹脂製のフィルムを用いることができる。ＩＣタグ基板６１は、ＩＣチップ６２と、コイルアンテナ６３とを有しているが、そのうちＩＣチップ６２は、各種のデータを記憶する。
【００４６】
なお、ＩＣタグ６０の厚みは、金属板である表面３１の厚みよりも小さく設けられている。そのようなＩＣタグ６０としては、たとえばＩＭ５−ＰＫ２５２５（日立化成株式会社製）のような、超小型のサイズのものがある。上記のＩＭ５−ＰＫ２５２５（日立化成株式会社製）の場合、ＩＣタグの一辺が２．５ｍｍの矩形であり、また厚みが０．４ｍｍとなっている。また、後述するＩＣタグ７０はＩＣタグ６０では感度が不足する場合の高感度のＩＣタグである。
【００４７】
上述のＩＣチップ６２には、消火栓ボックスセット１０Ａ（消火栓ボックス１１Ａ）に対応したＩＤ（identification）情報や、その他収納されるべき消防用具１００に関する情報（消防用具１００のＩＤ情報、消防用具１００の種類情報、消防用具１００の製造年月日、消防用具１００のサイズ情報等）が記憶されていてもよく、ＩＤをキーとした情報連携としてもよい。なお、ＩＣチップ６２には、消火栓ボックスセット１０Ａが設置されている場所に関する設置情報を記憶しても良い。
【００４８】
このような消火栓ボックスセット１０Ａ（消火栓ボックス１１Ａ）に関するＩＤ情報は、専用のリーダ装置３００（図１０参照）で読み取られる。そして、リーダ装置３００で読み取った情報を外部のサーバ等で管理することで、消火栓ボックスセット１０Ａ（消火栓ボックス１１Ａ）の管理を容易に行うことが可能となる。
【００４９】
次に、消火栓ボックス１１Ａの内部に収納されている消防用具１００について説明する。消防用具１００は、たとえば消防用ホース、消火栓、消火器等のような消防活動で使用される用具である。この消防用具１００には、ＩＣタグ７０が取り付けられている。なお、このＩＣタグ７０は、ＩＣタグ６０と同様に超小型のサイズであることが好ましいが、より大型のサイズであっても良い。また、ＩＣタグ７０は、小型であることに限定されず、たとえばシール型タグ、金属対応型タグなど取り付け相手に合わせた適材適所の仕様を選ぶことができる。
【００５０】
ここで、消防用具１００に対するＩＣタグ７０の取付態様は、外部のリーダ装置３００との間の通信を妨げなければ、どのようなものであっても良い。たとえば、消防用具１００に存在する凹部や隙間に、樹脂等によってＩＣタグ７０が埋設されていても良く、ワイヤ等の手段を介して消防用具１００にＩＣタグ７０が取り付けられていても良く、シール等を介してＩＣタグ７０が消防用具１００に取り付けられていても良い。
【００５１】
なお、ＩＣタグ７０には、該ＩＣタグ７０が取り付けられた消防用具１００に関する情報（消防用具１００のＩＤ情報、消防用具１００の種類情報、消防用具１００の製造年月日、消防用具１００のサイズ情報等）が記憶されていてもよく、ＩＤを検索キーとして情報連携してもよい。
【００５２】
＜ＩＣタグと外部のリーダ装置との通信について＞
次に、ＩＣタグ６０，７０と外部のリーダ装置３００との通信について説明する。なお、リーダ装置３００は、情報を読み取る機能のみならず、ＩＣタグ６０，７０に情報を書き込む機能を有しても良いのは勿論である。
【００５３】
外部のリーダ装置３００から通信用電磁波が放射されると（第１通信工程）、その通信用電磁波が貫通スロット部３３の近傍に届く。すると、貫通スロット部３３の縁部（内壁）に沿って高周波電流ｉ１が形成される。この高周波電流ｉ１が形成される場合、スロット端部３５は電流が最大となる給電部となり、スリット部３４の中央部分３７は、電圧が最大となる給電部となるが、このとき、スリット部３４の中央部分３７における幅方向の一方側がプラスの電圧に印加され、幅方向の他方側がマイナスの電圧に印加されると見立てることができる。ちなみに、通信用電磁波は高周波であるので、これらの電流や電圧の極性は周波数によって交互に代わる。また、貫通スロット部３３のスロット長は、通信用電磁波の半波長程度に設けられているので、高周波電流ｉ１によって共振状態となる。そのため、図１０に示すように、貫通スロット部３３を貫通する磁界φの輪が表面３１側の空間に連なり、同時に裏面３２側の空間にも連なり通信用電磁波が伝わることで、消火栓ボックス１１Ａの内部側および外部側に、電磁波が放射される。なお、電磁波は磁界と電界が直交状態のまま連鎖して伸びてゆくが、図１０では、見やすくするために電界分布を省略している。
【００５４】
一方、ＩＣタグ６０が配置されているスロット端部３５においては、ＩＣタグ６０のコイルアンテナ６３とスロット端部３５の内壁とが近接している。そのため、スロット端部３５の内壁を流れる高周波電流ｉ１により、ＩＣタグ６０のコイルアンテナ６３が相互誘導を受け、それにより、ＩＣチップ６２が作動して、ＩＣチップ６２に記憶されているタグ情報が高周波電流ｉ１に含まれ磁界φを介して、外部のリーダ装置３００にタグ情報が伝達される。それにより、外部のリーダ装置３００とＩＣタグ６０との間のタグ通信が可能となる。
【００５５】
なお、消火栓ボックスセット１０Ａ（消火栓ボックス１１Ａ）が、近隣に複数存在する場合には、リーダ装置３００では、それぞれの消火栓ボックスセット１０Ａ（消火栓ボックス１１Ａ）に取り付けられているＩＣタグ６０の複数のＩＤ情報を読み取ることができる。ただし、読み取られる電磁波の強度を1つのＩＤになるまで下げてゆき、ターゲットとなる消火栓ボックスセット１０Ａ（消火栓ボックス１１Ａ）は、容易に特定することができる。
【００５６】
ところで、リーダ装置３００が消火栓ボックスセット１０Ａ（消火栓ボックス１１Ａ）から離れている状態では、貫通スロット部３３を透過する通信用電磁波は、そのほとんどが金属製の蓋部材３０Ａで反射または遮断されるので、表面３１から貫通スロット部３３を介して裏面３２側に入るとき、さほど強くない状態となる。そこで、ターゲットとなる消火栓ボックスセット１０Ａ（消火栓ボックス１１Ａ）のＩＤ情報を読み取った後に、そのターゲットの消火栓ボックスセット１０Ａ（消火栓ボックス１１Ａ）に接するか近接する。このように、リーダ装置３００が貫通スロット部３３に接するか近接した状態で、リーダ装置３００から貫通スロット部３３に向けて通信用電磁波を放射する。
【００５７】
このような近接状態（または接する状態）では、リーダ装置３００から放射された通信用電磁波は、上述したように、磁界φを介して、消火栓ボックス１１Ａの内部側に進行する。そして、消火栓ボックス１１Ａの内部に収納されている消防用具１００のＩＣタグ７０と、タグ通信を行う。すなわち、ＩＣタグ７０に電磁波（磁界φ）が届き、近接した外部のリーダ装置３００にＩＣタグ７０のタグ情報が伝達される。それにより、外部のリーダ装置３００とＩＣタグ７０との間のタグ通信が可能となる。
【００５８】
しかしながら、上記のように貫通スロット部３３に近接しても、リーダ装置３００とＩＣタグ７０との間で、タグ通信が良好に行えない場合もあり得る。そのような場合には、リーダ装置３００を貫通スロット３３に接するまたは近接したまま出力を調整することで、消火栓ボックス１１Ａ内の消防用具１００に取り付けられているＩＣタグ７０とタグ通信する（第２通信工程）。このように、リーダ装置３００の出力調整を行うことにより、リーダ装置３００とＩＣタグ７０との間で、より確実なタグ通信が行える。
【００５９】
＜効果について＞
以上のような構成を有する消火栓ボックス１１Ａ（収納箱）は、電気を導通させる導体を材質とする蓋部材３０Ａ（閉塞部材）を備え、その蓋部材３０Ａの閉じ状態で外部から閉塞される内部空間２２を備え、その内部空間２２に消防用具１００（収納物）が配置される消火栓ボックス１１Ａ（収納箱）である。この消火栓ボックス１１Ａ（収納箱）は、蓋部材３０Ａを貫通していると共に、両端が閉じた長尺状に設けられると共に、外部のリーダ装置３００（外部端末）から放射される通信用電磁波が透過可能な貫通スロット部３３と、貫通スロット部３３内に配置され、蓋部材３０Ａの厚みよりも厚みが小さく、かつ固有の箱用ＩＤ情報を有すると共に通信用電磁波を介してリーダ装置３００（外部端末）と通信するＩＣタグ６０（箱用ＩＣタグ）と、貫通スロット部３３に充填されると共にＩＣタグ６０（箱用ＩＣタグ）を保持すると共に、蓋部材３０Ａの厚みと同程度以下の厚みを有する樹脂充填部５０（充填材）と、を備えている。
【００６０】
このため、消火栓ボックス１１Ａ（収納箱）に取り付けられているＩＣタグ６０（箱用ＩＣタグ）との間でタグ通信を行うことが可能である。なお、消火栓ボックス１１Ａ（収納箱）に収納されるべき消防用具１００（収納物）に関する情報を、ＩＣタグ６０（箱用ＩＣタグ）に関連付けておくことで、ＩＣタグ６０（箱用ＩＣタグ）を読めば、消防用具１００（収納物）に関する情報が知れることになる。
【００６１】
ここで、蓋部材３０Ａに貫通スロット部３３が形成され、その貫通スロット部３３には、ＩＣタグ６０（箱用ＩＣタグ）と、蓋部材３０Ａの厚みと同程度以下の厚みを有する樹脂充填部５０（充填材）とが配置されている。したがって、ＩＣタグ６０（箱用ＩＣタグ）および樹脂充填部５０（充填材）は、貫通スロット部３３から突出しない構成とすることができるので、外部衝撃が蓋部材３０Ａに加わっても、樹脂充填部５０およびＩＣタグ６０（箱用ＩＣタグ）に与えるダメージを小さくすることができる。このため、樹脂充填部５０およびＩＣタグ６０（箱用ＩＣタグ）が破損したり、貫通スロット部３３から樹脂充填部５０およびＩＣタグ６０（箱用ＩＣタグ）が脱落してしまうのを防止することができる。そのため、ＩＣタグ６０が有するＩＤ情報の読み取りの信頼性を向上させることが可能となる。
【００６２】
また、貫通スロット部３３を介して、実際に消火栓ボックス１１Ａ（収納箱）の内部に収納されている消防用具１００に取り付けられているＩＣタグ７０（収納物用ＩＣタグ）と、リーダ装置３００（外部端末）との間で、タグ通信を行うことが可能となる。そのため、実際に蓋部材３０Ａを開けなくても、消火栓ボックス１１Ａ（収納箱）内に収納されている消防用具１００に関する情報を、ＩＣタグ７０（収納物用ＩＣタグ）から読み取ることが可能となる。
【００６３】
このように、蓋部材３０Ａを開けなくても、消火栓ボックス１１Ａ（収納箱）内に収納されている消防用具１００に関する情報を読み取れるので、作業者の労力を大幅に軽減することができる。特に、たとえば高層ビル等においては、１つのフロアに複数台の消火栓ボックスセット１０Ａ（収納物セット）が存在する場合がある。この場合、各階に同じ台数だけ消火栓ボックスセット１０Ａ（収納物セット）が存在し、それら全てを定期点検等で点検する際には、多大な労力が必要となる。特に、年月が経過すると、消防用具１００から製造年月日等のような刻印されている情報が読み取り難くなる場合がある。また、蓋部材３０Ａが悪戯防止など容易に開けられないようにシール等で封印されている場合には、その封印を解いた後に、点検後に再び封印する必要もある。
【００６４】
しかしながら、上記のように、貫通スロット部３３を介して、消火栓ボックス１１Ａ（収納箱）の内部に収納されている消防用具１００に取り付けられているＩＣタグ７０（収納物用ＩＣタグ）と、リーダ装置３００（外部端末）との間で、タグ通信を行うことで、そのような労力を大幅に低減可能となる。
【００６５】
また、本実施の形態では、長尺状の貫通スロット部３３は、通信用電磁波の半波長に共振する長さに設けられている。このため、貫通スロット部３３を良好なスロットアンテナとして機能させることができる。したがって、リーダ装置３００（外部端末）は、消防用具１００に取り付けられているＩＣタグ７０（収納物用ＩＣタグ）との間でタグ通信を良好に行うことが可能となる。
【００６６】
また、本実施の形態では、貫通スロット部３３のうち、蓋部材３０Ａ（閉塞部材）の厚み方向の中途の部位には、該蓋部材３０Ａ（閉塞部材）の厚み方向の両端側よりも該貫通スロット部３３の中央側に突出する係止凸部３５ａが設けられている。また、樹脂充填部５０（充填材）には、係止凸部３５ａが入り込む係止凹部５１が設けられている。
【００６７】
このため、かかる係止凹部５１に係止凸部３５ａが入り込むことにより、樹脂封止体４０が貫通スロット部３３から脱落するのを防止することができる。したがって、蓋部材３０ＡにＩＣタグ６０（箱用ＩＣタグ）が取り付けられた状態を長期に亘って維持することで、ＩＣタグ６０（箱用ＩＣタグ）に関する情報（ＩＤ情報）の読み取りを長期に亘って維持することができ、ＩＣタグ６０（箱用ＩＣタグ）に関する情報（ＩＤ情報）の読み取りの信頼性を向上させることが可能となる。
【００６８】
また、本実施の形態では、貫通スロット部３３はスロットアンテナを形成しているが、その幅は、ＩＣタグ６０（箱用ＩＣタグ）と通信する通信用電磁波の波長の１／４よりも小さく、下限の幅は数ミクロンでもよいが、実用的感度のスロットアンテナを形成するために０．５ｍｍ以上の寸法に設けられている。
【００６９】
このため、貫通スロット部３３を介して、通信用電磁波を消火栓ボックス１１Ａ（収納箱）の内部空間２２に放射することができる。したがって、収納されている消防用具１００（収納物）に取り付けられているＩＣタグ７０（収納物用ＩＣタグ）と、リーダ装置３００（外部端末）との間で、タグ通信を行うことが可能となる。
【００７０】
また、本実施の形態では、貫通スロット部３３は、ＩＣタグ６０（箱用ＩＣタグ）が配置されると共に貫通スロット部３３の端部に設けられているスロット端部３５（タグ配置部）と、スロット端部３５（タグ配置部）よりも幅狭に設けられているスリット部３４とを有している。これは、ゴミや遺物の侵入を妨げるため、あるいは蓋部材３０Ａの機械的強度を損なわないために有効である。
【００７１】
このため、スロット端部３５（タグ配置部）では、ＩＣタグ６０（箱用ＩＣタグ）を配置するためにスリット部３４よりも幅広としながらも、スリット部３４はそれよりも幅狭とすることで、必要以上に広いスリットが存在しない状態となる。それにより、貫通スロット部３３に配置される樹脂充填部５０に与えられる外部衝撃を低減可能となる。また、スリット部３４の幅を狭くすることで、貫通スロット部３３に充填される樹脂充填部５０の取付強度を向上させることができる。
【００７２】
また、本実施の形態では、消火栓ボックスセット１０Ａ（収納セット）は、内部空間２２に配置されている消防用具１００（収納物）と、消防用具１００（収納物）に取り付けられていると共に、固有の収納物用ＩＤ情報を有すると共に貫通スロット部３３を通過した通信用電磁波を介してリーダ装置３００（外部端末）と通信するＩＣタグ７０（収納物用ＩＣタグ）と、を備える。
【００７３】
このため、蓋部材３０Ａを開けなくても、消火栓ボックス１１Ａ（収納箱）内に収納されている消防用具１００に関する情報を読み取れるので、作業者の労力を大幅に軽減することができる。
【００７４】
また、本実施の形態では、収納物は消防の際に用いられる消防用具１００であり、収納箱は消防用具１００を収納する消火栓ボックス１１Ａである。このため、消防用具１００に取り付けられているＩＣタグ７０（収納物用ＩＣタグ）とリーダ装置３００（外部端末）との間で、蓋部材３０Ａを閉じた状態でタグ通信を行うことができる。したがって、人目につくような場所で、セキュリティーの観点からみてなるべく蓋部材３０Ａの開閉を避けたい場合でも、蓋部材３０Ａを開けずに、消防用具１００（収納物）に関する情報（ＩＤ情報）を読み取ることができる。
【００７５】
また、本実施の形態の収納物管理方法は、単数または複数の消火栓ボックス１１Ａ（収納箱）に向けてリーダ装置３００（外部端末）を作動させて通信用電磁波を放射する第１通信工程を備える。また、第１通信工程でターゲットとなる消火栓ボックス１１Ａ（収納箱）に関する箱用ＩＤ情報をリーダ装置３００（外部端末）で読み取った後に、第１通信工程よりもターゲットとなる消火栓ボックス１１Ａ（収納箱）に近接した状態で、リーダ装置３００（外部端末）の出力を小さくするなど調整して消火栓ボックス１１Ａ（収納箱）内の消防用具１００（収納物）のＩＣタグ７０（収納物用ＩＣタグ）と通信する第２通信工程と、を備える。
【００７６】
このように、リーダ装置３００（外部端末）の出力を調整した状態で、消防用具１００（収納物）のＩＣタグ７０（収納物用ＩＣタグ）と通信する第２通信工程を備えている。そのため、貫通スロット部３３に近接しても、リーダ装置３００とＩＣタグ７０との間で、タグ通信が良好に行えない場合でも、リーダ装置３００（外部端末）の出力調整を行うことにより、あるいはリーダ装置３００を貫通スロット部３３に接するか近接することによってリーダ装置３００（外部端末）とＩＣタグ７０（収納物用ＩＣタグ）との間で、より確実なタグ通信を行うことができる。したがって、蓋部材３０Ａを閉じた状態で、消防用具１００（収納物）に関する情報（ＩＤ情報）を読み取ることができる。
【００７７】
（第２の実施の形態）
次に、本発明の第２の実施の形態に係る収納セットとして工具セット１０Ｂ、および収納箱としての工具箱１１Ｂについて、以下に説明する。なお、以下の説明においては、第２の実施の形態の工具セット１０Ｂおよび工具箱１１Ｂに特有の構成については、アルファベット「Ｂ」を付して説明するが、第１の実施の形態の消火栓ボックスセット１０Ａおよび消火栓ボックス１１Ａに係る構成と共通の構成については、アルファベット「Ｂ」は付さない状態で説明する。
【００７８】
図１１は、本発明の第２の実施の形態に係る収納セットとしての工具セット１０Ｂ、および収納箱としての工具箱１１Ｂを示す斜視図である。図１２は、図１１に示す工具箱１１Ｂの内部構成を示す平面図である。
【００７９】
図１１および図１２に示すように、工具箱１１Ｂは、金属製の筐体２０Ｂと、金属製の蓋部材３０Ｂとを備えていて、内部空間２２に各種工具２００を収納している。筐体２０Ｂは、開口部２１（図１２参照）を有する有底の箱状部材であり、その筐体２０Ｂの所定の部位に、図示を省略する蝶番や回動軸といった回動支持部を介して、蓋部材３０Ｂが回動自在に取り付けられている。この蓋部材３０Ｂには、工具箱１１Ｂの持ち運びを容易にするために、取手Ｈ１が取り付けられているが、そのような取手Ｈ１が省略されていても良い。
【００８０】
また、蓋部材３０Ｂは、閉じ状態では筐体２０Ｂの開口部２１を塞ぐが、開き状態では開口部２１が閉塞されていないので、作業者が筐体２０Ｂの内部空間２２に収納されている工具２００を容易に取り出すことができる。
【００８１】
ここで、蓋部材３０Ｂは、厚みの薄い金属板を材質として形成されている。なお、工具セット１０Ｂは、消火栓ボックスセット１０Ａと異なって、作業者が持ち運んだり、移動させることが多いが、２人がかりで運ぶ大きなものもある。そのため、蓋部材３０Ｂを構成する金属板の厚みは、蓋部材３０Ａと同程度の厚みとすることができる。すなわち、蓋部材３０Ｂの金属板の厚みは、上記の蓋部材３０Ａの場合と同様に、０．５ｍｍ〜５ｍｍ程度となる。なお、上記の蓋部材３０Ｂの材質としては、たとえば圧延鋼板のような鉄板やステンレス鋼板、アルミニウム系材料を用いることができる。ただし、蓋部材３０Ｂの重量がさほど大きくならなければ、蓋部材３０Ｂの厚みは上記の範囲以上であっても良く、また強度面で問題がなければ、蓋部材３０Ｂの厚みは上記の範囲以下であっても良い。
【００８２】
また、本実施の形態の工具箱１１Ｂのその蓋部材３０Ｂにも、図３に示すような貫通スロット部３３が設けられている。また、貫通スロット部３３には、第１の実施の形態で述べたのと同様の樹脂充填部５０とＩＣタグ６０とを備える樹脂封止体４０が配置されている。なお、蓋部材３０Ｂに設けられる貫通スロット部３３は、図３に示すような構成に代えて、図４から図８に示すような構成としても良い。
【００８３】
次に、工具箱１１Ｂの貫通スロット部３３に設置されているＩＣタグ６０について説明する。このＩＣタグ６０のＩＣチップ６２には、工具セット１０Ｂ（工具箱１１Ｂ）に対応したＩＤ（identification）情報や、収納される工具２００に関する情報（工具１００のＩＤ情報、工具１００の種類情報、工具のサイズ情報等）が記憶されている。なお、ＩＣチップ６２には、工具セット１０Ｂが使用される環境に関する使用環境情報を記憶しても良い。そのような使用環境情報としては、たとえば衛生面の管理が厳格な現場（たとえば病院、食品を扱う現場等）で用いられる旨の情報、塵埃の低減が厳しく要求される現場（たとえばクリーンルーム等）で用いられる旨の情報等がある。
【００８４】
このようなＩＤ情報は、専用のリーダ装置３００で読み取られる。そして、リーダ装置３００で読み取った情報を外部のサーバ等で管理することで、工具セット１０Ｂの管理を容易に行うことが可能となる。
【００８５】
次に、工具箱１１Ｂの内部空間２２に収納される工具２００について説明する。なお、工具２００は、収納物に対応する。工具２００は、たとえばスパナ、レンチ、ペンチ、ニッパ、ハンマ等のような汎用されている工具である。この工具２００には、ＩＣタグ７０が取り付けられている。なお、このＩＣタグ７０は、ＩＣタグ６０と同様に超小型のサイズであることが好ましいが、より高い感度の大型のサイズであっても良い。
【００８６】
ここで、工具２００に対するＩＣタグ７０の取付態様は、外部のリーダ装置３００との間の通信を妨げなければ、どのようなものであっても良い。たとえば、工具２００の表面に存在する凹部に、樹脂等によってＩＣタグ７０が埋設されていても良く、ワイヤ等の手段を介して工具２００にＩＣタグ７０が取り付けられていても良く、シール等を介してＩＣタグ７０が取り付けられていても良い。あるいは、小型の金属対応タイプであってもよい。
【００８７】
なお、ＩＣタグ７０には、該ＩＣタグ７０が取り付けられた工具２００に関する情報（工具２００のＩＤ情報、工具２００の種類情報、工具２００の製造年月日、工具２００のサイズや工具仕様など工具情報等）が記憶されている。あるいは工具２００のＩＤ情報を検索キーとして工具情報と連携してもよい。
【００８８】
＜ＩＣタグと外部のリーダ装置との通信について＞
次に、ＩＣタグ６０，７０と外部のリーダ装置３００との通信について説明する。外部のリーダ装置３００から通信用電磁波が放射されると（第１通信工程）、既に図１０に基づいて説明したように、貫通スロット部３３を貫通する磁界φの輪が表面３１側の空間に連なり、同時に裏面３２側の空間にも連なり通信用電磁波が伝わることで、工具箱１１Ｂの内部側および外部側に、電磁波が放射される。なお、電磁波は磁界と電界が直交状態のまま連鎖して伸びてゆくが、図１０では、見やすくするために電界分布を省略している。
【００８９】
また、スロット端部３５においても、既に説明したように、スロット端部３５の内壁を流れる高周波電流ｉ１により、相互誘導によってＩＣタグ６０のコイルアンテナ６３が相互誘導を受け、それによりＩＣチップ６２が作動して、ＩＣチップ６２に記憶されているタグ情報が高周波電流ｉ１に含まれ磁界φを介して、外部のリーダ装置３００にタグ情報が伝達される。それにより、外部のリーダ装置３００とＩＣタグ６０との間のタグ通信が可能となる。
【００９０】
ここで、工具セット１０Ｂ（工具箱１１Ｂ）は、消火栓ボックスセット１０Ａ（消火栓ボックス１１Ａ）と比較して、異なる複数の工具セット１０Ｂ（工具箱１１Ｂ）が近隣に配置される場合が多い。そのため、リーダ装置３００から通信用電磁波を放射した際には、複数の工具セット１０Ｂ（工具箱１１Ｂ）に関するＩＤ情報が得られるので、複数の工具セット１０Ｂ（工具箱１１Ｂ）の管理を容易に行える。
【００９１】
また、ターゲットとなる工具セット１０Ｂ（工具箱１１Ｂ）が予め決まっている場合には、そのターゲットとなる工具セット１０Ｂ（工具箱１１Ｂ）にリーダ装置３００を近付ける。その際に、貫通スロット部３３にリーダ装置３００を近づけて、そのリーダ装置３００の出力を、ターゲット以外の工具セット（工具箱１１Ｂ）のＩＣタグ６０が検出しなくなるまで下げるなど調整する。すると、ターゲットとなる工具箱１１Ｂ内の工具２００に取り付けられているＩＣタグ７０とタグ通信することができる（第２通信工程）。
【００９２】
ここで、上述のように、リーダ装置３００の出力調整を行うことで、近くに他の工具セット１０Ｂ（工具箱１１Ｂ）が存在する場合でも、そのような他の工具セット１０Ｂ（工具箱１１Ｂ）内に存在する工具２００に取り付けられたＩＣタグ７０とタグ通信を行わないようにすることができる。すなわち、ターゲットとなる工具セット１０Ｂ（工具箱１１Ｂ）の工具２００に取吊られたＩＣタグ７０と、リーダ装置３００との間で、選択的にタグ通信を行うことができる。
【００９３】
＜効果について＞
以上のような構成を有する工具箱１１Ｂ（工具セット１０Ｂ）においても、上述の第１の実施の形態で述べたのと同様に、樹脂充填部５０およびＩＣタグ６０（箱用ＩＣタグ）が破損したり、貫通スロット部３３から樹脂充填部５０およびＩＣタグ６０（箱用ＩＣタグ）が脱落してしまうのを防止することができる。そのため、ＩＣタグ６０が有するＩＤ情報の読み取りの信頼性を向上させることが可能となる。
【００９４】
また、貫通スロット部３３を介して、実際に工具箱１１Ｂ（収納箱）の内部に収納されている工具２００に取り付けられているＩＣタグ７０（収納物用ＩＣタグ）と、リーダ装置３００（外部端末）との間で、タグ通信を行うことが可能となる。そのため、実際に蓋部材３０Ａを開けなくても、工具箱１１Ｂ（収納箱）内に収納されている工具２００に関する情報を、ＩＣタグ７０（収納物用ＩＣタグ）から読み取ることが可能となる。そのため、工具２００に関する情報の読み取りのために要する労力を大幅に低減可能となる。
【００９５】
また、本実施の形態では、収納物は工具２００であり、収納箱は工具２００を収納する工具箱１１Ｂである。このため、蓋部材３０Ｂを開けなくても、工具箱１１Ｂ（収納箱）内に収納されている工具２００に関する情報を読み取れるので、作業者の労力を大幅に軽減することができる。
【００９６】
また、本実施の形態の収納物管理方法は、単数または複数の工具箱１１Ｂ（収納箱）に向けてリーダ装置３００（外部端末）を作動させて通信用電磁波を放射する第１通信工程を備える。また、第１通信工程でターゲットとなる工具箱１１Ｂ（収納箱）に関する箱用ＩＤ情報をリーダ装置３００（外部端末）で読み取った後に、第１通信工程よりもターゲットとなる工具箱１１Ｂ（収納箱）に近接した状態で、リーダ装置３００（外部端末）の出力をターゲット以外の工具セット（工具箱１１Ｂ）のＩＣタグ６０が検出しなくなるまで下げるなど調整して工具箱１１Ｂ（収納箱）内の工具２００（収納物）のＩＣタグ７０（収納物用ＩＣタグ）と通信する第２通信工程と、を備える。
【００９７】
このように、リーダ装置３００（外部端末）の出力を調整した状態で、工具２００（収納物）のＩＣタグ７０（収納物用ＩＣタグ）と通信する第２通信工程を備えている。そのため、近くに他の工具セット１０Ｂ（工具箱１１Ｂ）が存在する場合でも、リーダ装置３００の出力調整を行うことで、その工具セット１０Ｂ（工具箱１１Ｂ）の近傍に存在する他の工具セット１０Ｂ（工具箱１１Ｂ）内の工具２００に取り付けられたＩＣタグ７０とタグ通信を行わないようにすることができる。すなわち、ターゲットとなる工具セット１０Ｂ（工具箱１１Ｂ）の工具２００に取吊られたＩＣタグ７０と、リーダ装置３００との間で、選択的にタグ通信を行うことができる。
【００９８】
また、上述の第２通信工程における出力調整を、ターゲットとなる工具セット１０Ｂ（工具箱１１Ｂ）毎に繰り返すことで、それぞれの工具セット１０Ｂ（工具箱１１Ｂ）内の工具２００（収納物）に取り付けられたＩＣタグ７０から、工具２００に関するＩＤ情報を読み取ることができる。そのため、多数の工具セット１０Ｂ（工具箱１１Ｂ）を点検する等のような管理作業が必要な場合でも、その管理作業の労力を大幅に低減することができる。
【００９９】
＜変形例＞
以上、本発明の各実施の形態について説明したが、本発明はこれ以外にも種々変形可能となっている。以下、それについて述べる。
【０１００】
上述の実施の形態では、貫通スロット部３３は、直線状に設けられている。しかしながら、貫通スロット部３３は、直線状には限られない。たとえば、図８に示すようにストレート部３４aは折り曲げ部３４cがあってもよく、さらに複数回折り曲がった九十九折状の部分が存在していても良い。
【０１０１】
また、上述の実施の形態では、閉塞部材には、蓋部材３０Ａ，３０Ｂが対応するものとしている。しかしながら、閉塞部材は、蓋部材３０Ａ，３０Ｂに限られるものではない。たとえば、消火栓ボックス１１Ａや工具箱１１Ｂが引き出し可能な引出し部材を備える場合、その引出し部材が閉塞部材に対応するものとしても良い。また、消火栓ボックス１１Ａや工具箱１１Ｂがシャッター部材を備える場合、そのシャッター部材が閉塞部材に対応するものとしても良い。
【０１０２】
また、上述の実施の形態では、収納セットとして、消火栓ボックスセット１０Ａおよび多数の工具セット１０Ｂについて説明している。しかしながら、収納セットは、これらに限られるものではない。たとえば、ドリル刃やエンドミル等のような切削工具を収納しているセット、研磨材を収納している研磨材収納セット、医療器具を収納している医療器具セットを収納セットとしても良い。
【０１０３】
また、上述の実施の形態では、貫通スロット部３３は、蓋部材３０Ａ，３０Ｂに１箇所設けられた構成について説明している。しかしながら、蓋部材３０Ａ，３０Ｂには、２箇所以上の貫通スロット部３３が設けられる構成を採用しても良い。
【０１０４】
また、上述の各実施の形態においては、ＲＦＩＤ通信にて用いられるＵＨＦ帯の周波数としては９２０ＭＨｚが好適である。しかしながら、ＲＦＩＤ通信にて用いられるＵＨＦ帯の周波数としては、たとえば８６０ＭＨｚから９６０ＭＨｚの帯域であれば、どのような周波数であっても良い。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であっても良い。
【符号の説明】
【０１０５】
１０Ａ…消火栓ボックスセット（収納セットに対応）、１０Ｂ…工具セット（収納セットに対応）、１１Ａ…消火栓ボックス（収納箱に対応）、１１Ｂ…工具箱（収納箱に対応）、２０Ａ，２０Ｂ…筐体、２１…開口部、２２…内部空間（収納空間に対応）、３０Ａ，３０Ｂ…蓋部材（閉塞部材に対応）、３１…表面、３２…裏面、３３…貫通スロット部、３４…スリット部、３４ａ…ストレート部分、３４ｂ…湾曲部、３４ｃ…折れ曲がり部、３５…スロット端部（タグ配置部に対応）、３５ａ…係止凸部、３６…突出部、３６ａ，３６ｂ…傾斜面、３６ｃ，３６ｄ…内壁面、３７…スロット中央部分、４０…樹脂封止体、５０…樹脂充填部（充填材に対応）、５１…係止凹部、６０，７０…ＩＣタグ、６１…ＩＣタグ基板、６２…ＩＣチップ、６３…コイルアンテナ、１００…消防用具（収納物に対応）、２００…工具（収納物および作業工具に対応）、３００…リーダ装置（外部端末に対応）、Ｈ１…取手
【図１】
2020086991.tif 000004
【図２】
2020086991.tif 000005
【図３】
2020086991.tif 000006
【図４】
2020086991.tif 000007
【図５】
2020086991.tif 000008
【図６】
2020086991.tif 000009
【図７】
2020086991.tif 000010
【図８】
2020086991.tif 000011
【図９】
2020086991.tif 000012
【図１０】
2020086991.tif 000013
【図１１】
2020086991.tif 000014
【図１２】
2020086991.tif 000015